(57)【特許請求の範囲】
【請求項１】
建築物を構成する躯体の内部空間を仕切る間仕切り構造であって、
上記躯体の天井側平面に沿って底面が固定される細長い部材である天井側基材と、
上記天井側基材と対向するように、上記躯体の床側平面に沿って底面が固定される細長い部材である床側基材と、
長手方向を上下方向に向けて所定の間隔で配置され、一方の端部が上記天井側基材に固定され、他方の端部が上記床側基材に固定される複数の補助柱と、
上記補助柱間の空間を塞ぐように対向して設けられる平板であり、上記天井側基材と上記床側基材と上記補助柱との一部又は全部に固定される間仕切り壁と、
上記天井側基材及び上記床側基材の少なくとも一方の底面と上記躯体との間に介在する柔軟性を有する緩衝材とを備え、
上記補助柱は、一定の間隔で配置され、
上記緩衝材は、
上記緩衝材の両端に位置し、上記躯体及び上記底部に当接する２つの端緩衝部と、
上記２つの端緩衝部の間に位置し、上記躯体及び上記底部に当接する中間緩衝部と、
上記端緩衝部及び上記中間緩衝部を接続する、端緩衝部及び中間緩衝部より薄く、一定の長さを有する接続部とを有し、
上記補助柱が配置される上記天井側レールの上記第１底部及び上記床側レールの上記第２底部の外側には、上記２つの端緩衝部及び上記中間緩衝部の少なくとも１つが配置されていることを特徴とする間仕切り構造。
【請求項２】
上記天井側基材は、上記躯体の天井側平面に固定される上記底面を有する細長い平板状の第１底部と、上記第１底部の幅方向の両端部から下方に向けて固定される第１側部群とで形成される第１溝部を内側に有し、
上記床側基材は、上記躯体の床側平面に固定される上記底面を有する細長い平板状の第２底部と、上記第２底部の幅方向の両端部から下方に向けて固定される第２側部群とで形成される第２溝部を内側に有する請求項１に記載の間仕切り構造。
【請求項３】
躯体によって形成される内部の空間を仕切る間仕切り構造を備える建築物であって、
上記躯体の天井側平面に沿って底面が固定される細長い部材である天井側基材と、
上記天井側基材と対向するように、上記躯体の床側平面に沿って底面が固定される細長い部材である床側基材と、
長手方向を上下方向に向けて所定の間隔で配置され、一方の端部が上記天井側基材に固定され、他方の端部が上記床側基材に固定される複数の補助柱と、
上記補助柱間の空間を塞ぐように対向して設けられる平板であり、上記天井側基材と上記床側基材と上記補助柱との一部又は全部に固定される間仕切り壁と、
上記天井側基材及び上記床側基材の少なくとも一方の底面と上記躯体との間に介在する柔軟性を有する緩衝材とを備え、
上記補助柱は、一定の間隔で配置され、
上記緩衝材は、
上記緩衝材の両端に位置し、上記躯体及び上記底部に当接する２つの端緩衝部と、
上記２つの端緩衝部の間に位置し、上記躯体及び上記底部に当接する中間緩衝部と、
上記端緩衝部及び上記中間緩衝部を接続する、端緩衝部及び中間緩衝部より薄く、一定の長さを有する接続部とを有し、
上記補助柱が配置される上記天井側レールの上記第１底部及び上記床側レールの上記第２底部の外側には、上記２つの端緩衝部及び上記中間緩衝部の少なくとも１つが配置されていることを特徴とする建築物。
【請求項４】
躯体によって形成される内部の空間を仕切る間仕切り構造に利用される間仕切り構造部材であって、
上記躯体の天井側平面に沿って底面が固定される細長い部材である天井側基材と、
上記天井側基材と対向するように、上記躯体の床側平面に沿って底面が固定される細長い部材である床側基材と、
長手方向を上下方向に向けて所定の間隔で配置され、一方の端部が上記天井側基材に固定され、他方の端部が上記床側基材に固定される複数の補助柱と、
上記天井側基材及び上記床側基材の少なくとも一方の底面に取り付けられた柔軟性を有する緩衝材とを備え、
上記補助柱は、一定の間隔で配置され、
上記緩衝材は、
上記緩衝材の両端に位置し、上記躯体及び上記底部に当接する２つの端緩衝部と、
上記２つの端緩衝部の間に位置し、上記躯体及び上記底部に当接する中間緩衝部と、
上記端緩衝部及び上記中間緩衝部を接続する、端緩衝部及び中間緩衝部より薄く、一定の長さを有する接続部とを有し、
上記補助柱が配置される上記天井側レールの上記第１底部及び上記床側レールの上記第２底部の外側には、上記２つの端緩衝部及び上記中間緩衝部の少なくとも１つが配置されていることを特徴とする間仕切り構造部材。
【請求項５】
間仕切り構造に含まれる基材と建築物を構成する躯体との間に介在する、柔軟性を有して細長い緩衝材であり、
両端に位置する２つの端緩衝部と、
上記２つの端緩衝部の間に位置する柔軟性を有する中間緩衝部と、
上記天井側基材及び上記床側基材の少なくとも一方の底面と上記躯体との間に介在する柔軟性を有する緩衝材より薄く、且つ、上記端緩衝部及び上記中間緩衝部を接続する一定の長さの接続部とを備えることを特徴とする緩衝材。
【請求項６】
上記接続部は、間仕切り構造において等間隔で配置される複数の補助柱の配置間隔に応じて決定される一定の長さである請求項５に記載の緩衝材。
【請求項７】
建築物を構成する躯体の内部空間を仕切る請求項１に記載の間仕切り構造の組立方法であって、
上記躯体の天井側に沿って固定される細長い部材である天井側基材が有する底面に、柔軟性を有する天井側緩衝材を固着するステップと、
上記躯体の床側に沿って固定される細長い部材である床側基材が有する底面に、柔軟性を有する床側緩衝材を固着するステップと、
上記天井側緩衝材を介して、上記天井側基材を上記躯体の天井側に固定するステップと、
上記床側基材を上記天井側基材に対向する位置に上記床側基材を配置して、上記床側緩衝材を介して上記躯体の床側に固定するステップとを含むことを特徴とする間仕切り構造の組立方法。
【発明の詳細な説明】
【技術分野】
【０００１】
本発明は、間仕切り構造に関し、特に、緩衝材が取り付けられた基材を含む間仕切り構造、間仕切り構造を備える建築物、間仕切り構造に用いられる部材及び間仕切り構造の組立方法に関する。
【背景技術】
【０００２】
マンション、アパート等の集合住宅では、木造モルタル、鉄筋コンクリート等の躯体で複数の住戸を含む建造物の枠組みが形成される。各住戸の中は、間仕切り構造、床構造、天井構造等を組み合わせることによって、各住戸の間取り、すなわちリビング、キッチン、寝室、バス等が形成される。このように、集合住宅の各住戸は、躯体を介して繋がっている。そのため、集合住宅では、間仕切り、躯体等を伝って住戸間で衝撃及び音が伝播しやすく、静穏な生活をみだす原因となる。そして、住戸間で伝播する衝撃及び音が、近隣間のトラブルを引き起こすことすらある。
【０００３】
トラブルの原因となる衝撃及び音は、例えば、子供が飛び跳ねたとき、重量物を誤って床に落としたとき等の衝撃、オーディオ、テレビ等の音、ピアノ等の楽器の音等の日常生活で生じるものである。快適な住環境を実現するために、住戸間での衝撃及び音の伝播を抑制又は遮断することは重要である。衝撃及び音は、特に階下の住戸に伝播することが多いため、天井側の躯体を介した衝撃及び音の伝播を抑制する技術が提案されている。例えば、特許文献１には、住戸の中を仕切る間仕切り壁と天井との間に緩衝材（防振材）を介在させる間仕切り壁の取付構造が記載されている。
【特許文献１】特開２００６−１５２６８３号公報
【発明の開示】
【発明が解決しようとする課題】
【０００４】
特許文献１に緩衝材の取付方法は記載されていないが、具体的に、特許文献１に記載の緩衝材を取り付ける方法を考えてみると、従来の緩衝材は、その取り付けに非常に手間が掛かる。特許文献１に記載の緩衝材は、隣接する間仕切り壁にまたがって取り付けられる。そのため想定される具体的な取付方法は、以下の手順になる。まず、緩衝材は、その半分だけが間仕切り壁によって、間仕切り壁と天井との間に挟まれる。この時、緩衝材の残り半分は未だ、間仕切り壁に取り付けられていない。次に、隣接する間仕切り壁が設置され、その時、緩衝材の残り半分が、隣接する間仕切り壁と天井との間に挟み込むようにして取り付けられる。
【０００５】
このように、緩衝材を取り付ける工程の途中では、緩衝材の半分は取り付けられているが、残り半分は取り付けられていないという状態が生じる。例えば、緩衝材を天井に接着等していない場合、緩衝材の取り付けられていない部分は、下方に垂れ下がった状態になる。施工者は、隣接する間仕切り壁を設置する際、下方に垂れ下がった残りの緩衝材を折り曲げたりすることなく、天井と隣接する間仕切り壁との間に挟み込むように、十分な注意を払う必要がある。そのため、作業効率は低下する。
【０００６】
また、例えば、緩衝材を天井に接着している場合には、上述のように折り曲げて挟み込む危険はほぼなくなる。施工者が折り曲げ防止に注意を払う必要はなくなる。しかし、緩衝材を天井に接着する手間が掛かるため、それによって、作業効率は低下する。
【０００７】
このように特許文献１に記載の技術では、作業効率が低下するという問題がある。作業効率の低下は、建物全体の間仕切り壁の取り付けに掛かる作業時間に大きく影響する。特に、設置される間仕切り壁の数が多くなる程、その影響は大きくなる。効率的に快適な住環境を構築する技術が望まれる。
【０００８】
そこで、本発明は、異なるフロア間での衝撃及び音の伝播を抑えながら、効率的に間仕切り壁を取り付けられる間仕切り構造の提供を目的とする。
【課題を解決するための手段】
【０００９】
上記の問題を解決するため、本発明は、建築物を構成する躯体の内部空間を仕切る間仕切り構造であって、
上記躯体の天井側平面に沿って底面が固定される細長い部材である天井側基材と、
上記天井側基材と対向するように、上記躯体の床側平面に沿って底面が固定される細長い部材である床側基材と、
長手方向を上下方向に向けて所定の間隔で配置され、一方の端部が上記天井側基材に固定され、他方の端部が上記床側基材に固定される複数の補助柱と、
上記補助柱間の空間を塞ぐように対向して設けられる平板であり、上記天井側基材と上記床側基材と上記補助柱との一部又は全部に固定される間仕切り壁と、
上記天井側基材及び上記床側基材の少なくとも一方の底面と上記躯体との間に介在する柔軟性を有する緩衝材とを備え、
上記補助柱は、一定の間隔で配置され、
上記緩衝材は、
上記緩衝材の両端に位置し、上記躯体及び上記底部に当接する２つの端緩衝部と、
上記２つの端緩衝部の間に位置し、上記躯体及び上記底部に当接する中間緩衝部と、
上記端緩衝部及び上記中間緩衝部を接続する、端緩衝部及び中間緩衝部より薄く、一定の長さを有する接続部とを有し、
上記補助柱が配置される上記天井側レールの上記第１底部及び上記床側レールの上記第２底部の外側には、上記２つの端緩衝部及び上記中間緩衝部の少なくとも１つが配置されている。
また、本発明は、上記の間仕切り構造として実現できるだけではない。本発明は、上記間仕切り構造を備える建築物、上記間仕切り構造に用いられる緩衝材及び上記間仕切り構造の組立方法も含む。
【発明の効果】
【００１０】
本発明によると、基材と躯体との間に緩衝材が介在する。そのため、異なるフロア間での衝撃及び音の伝播を抑制することができ、静かな住居を提供することが可能になる。また、緩衝材は基材の底面に取り付けられる。基材は、補助柱を介して間仕切り壁を支持するため、細長い。そのような基材に、比較的短い緩衝材を順に並べて取り付けたり、又は、長尺のリール状の緩衝材を取り付けることは、極めて容易である。さらに、緩衝材は柔軟性を有する。そのため、例えば基材を躯体にネジ止めする場合には、緩衝材を貫通してネジ止めできる。このように、緩衝材は、基材の取り付けた後の作業に何ら影響しない。従って、作業効率に与える影響は極めて少ない。以上のように、本発明によれば、間仕切り壁を取り付ける作業の効率をほとんど低下させることなく、衝撃及び音の伝播が少ない静かな住環境を実現することが可能になる。
【発明を実施するための最良の形態】
【００１１】
本発明の実施の形態について、図を参照して説明する。全図を通して、各部位の寸法及びその比率は、本発明の特徴を分かり易くするために適宜変更している。そのため、各部位の寸法及びその比率は、図示されるものに限定されない。また、全図を通して同一の部位には、同一の符号を付している。
【００１２】
（実施の形態１）
図１は、本発明の実施の形態１に係る間仕切り構造の概要を示す斜視図である。また、図２は、図１のＸ面での正面断面図を示し、図３は、図１のＹ面での側方断面図を示す。
【００１３】
実施の形態１に係る間仕切り構造１０は、躯体によって形成される集合住宅の各住戸の内部の空間を仕切る構造である。住戸は、その住戸の天井の基準となる天井側躯体１２と、その住戸を囲う側壁の基準となる側壁躯体１４と、その住戸の床の基準となる床側躯体１６とで形成される。住戸内の空間を仕切ることによって、リビング、キッチン、寝室、バス等のいわゆる間取りが形成される。各躯体１２，１４，１６は、コンクリート、モルタル、石膏ボード等の無機材料、構造用合板、パーティクルボード等の木質材料等を用いて築かれる。なお、本発明に係る間仕切り構造は、集合住宅の各住戸に限らず、オフィス、商業用スペースなど建築物の内部の空間を仕切る構造に適用できる。
【００１４】
間仕切り構造１０は、垂直方向に互いに対向するように配置される天井側レール（基材）１８及び床側レール（基材）２６と、それぞれに取り付けられる天井側緩衝材３４及び床側緩衝材３６と、天井側レール１８及び床側レール２６によって支持されるスタッド（補助柱）３８と、スタッド３８のうち側壁躯体１４の近傍に配置される側壁スタッド４０に取り付けられる側壁緩衝材４４と、スタッド３８，４０に支持される間仕切り壁４６とを備える。図１において、スタッド３８は、間仕切り壁４６の影になるため図示されない。
【００１５】
天井側レール１８は、自身の内側に、第１溝部２３を有する細長い部材である。第１溝部２３は、詳しくは、細長い平板状の第１底部２２と、第１底部２２の長さ方向と平行に見た場合に第１底部２２の左右両端部（幅方向の両端部）から下方に向けて垂直に固定して設けられる第１側部群２０とから形成される。又、床側レール２６は、自身の内側に、第２溝部３１を有する細長い部材である。第２溝部３１は、第１溝部２３と同様の要素を有して上下を逆にした形状をしており、詳しくは、長い平板状の第２底部３０と、第２底部３０の幅方向の両端部から上方に向けて垂直に固定して設けられる第２側部群２８とから形成される。
【００１６】
天井側レール１８及び床側レール２６はともに、通常、スチール、合金等を材料として一体に形成される。天井側レール１８及び床側レール２６はそれぞれ、第１溝部２３及び第２溝部３１が上下方向に互いに対向するように天井側躯体１２及び床側躯体１６に固定され、それぞれの固定には通常、ネジ２４，３２が用いられる。そのため、第１底部２２及び第２底部３０には、ネジ止め用の穴又は細長いスリットが設けられている。なお、天井側レール１８及び床側レール２６は、それぞれ天井側躯体１２及び床側躯体１６に固定されていればよく、固定方法はネジ止めに限らない。また、天井側レール１８及び床側レール２６は、金属系に限らず、木質系の材料であってもよい。さらに、第１底部２２及び第２底部３０には、ネジ止め用の穴又は細長いスリットがなくてもよく、例えば、エアー、火薬等を利用して釘又は鋲を打ち込む釘打機、鋲打機、釘打銃、鋲打銃等と呼ばれる工具を用いることによって、釘又は鋲を、例えばスチール製の天井側レール１８及び床側レール２６を貫通させて、コンクリートの躯体に打ち込むことができる。
【００１７】
天井側緩衝材３４は、天井側レール１８の第１底部２２の外側に、天井側レール１８の長さ方向に並べて取り付けられる細長い柔軟性を有する部材である。又、床側緩衝材３６は、床側レール２６の第２底部３０の外側に、床側レール２６の長さ方向に並べて取り付けられる細長い柔軟性を有する部材である。天井側緩衝材３４及び床側緩衝材３６は、振動、音などがフロア間を伝達することを抑制できるだけの柔軟性を有する材料を用いることが望ましく、例えば、ゴム組成物、熱可塑性エラストマー等の１種、又は、それらの２種以上を混合若しくは積層して架橋成型することによって得られるもの、２種以上の熱可塑性エラストマー組成物を混合又は積層することによって得られるもの等である。天井側緩衝材３４及び床側緩衝材３６に好ましい材料の硬度は、ゴム硬度で２０度〜７０度である。天井側緩衝材３４は、ゴム組成物又はエラストマー組成物を、二本ロール、カレンダーロール、ローラーヘッダー、押出機等によって一定厚さのシート状に圧延した後に、プレス成型加工、射出成型加工、熱空気成型加工等をすることによって一体的に形成される。
【００１８】
ここで、ゴム組成物とは、天然ゴム、合成ゴム等の１種、又は、それらの２種以上をブレンドして得られるゴムを主成分として、補強材、充填材、可塑剤、軟化剤、老化防止剤、粘着剤、加工助剤、着色剤、架橋剤、架橋助剤等を添加したゴム組成物を通常のロール混練り、バンバリーミキサー、インターナルミキサー、加圧ニーダー等によって混練したものである。
【００１９】
天井側緩衝材３４の詳細を図４に示す。図示するように、天井側緩衝材３４は、天井側端緩衝部５２と、天井側中間緩衝部５４と、天井側接続部５６と、天井側粘着部５８とを有する。
【００２０】
天井側端緩衝部５２は、長さ方向と垂直な方向から見た場合の左右両端部（長さ方向の両端部）のそれぞれに位置し、天井側レール１８の第１底部２２の外側面と天井側躯体１２の面との間に挟まれ各面に当接する。
【００２１】
天井側中間緩衝部５４は、２つの天井側端緩衝部５２の間に位置し、天井側レール１８の第１底部２２の外側面と天井躯体１２の面との間に挟まれ、各面に当接する。天井側中間緩衝部５４は、天井側緩衝材３４の長さ方向に天井側端緩衝部５２の各々の長さの約２倍の長さを有し、天井側端緩衝部５２の各々と同一の幅を有する。
【００２２】
天井側端緩衝部５２及び天井側中間緩衝部５４は、天井側基体６０と、天井側躯体当接部６２とを有する。天井側躯体当接部６２は、天井側躯体１２に当接する部位であり、天井側躯体１２の方向に突出する縦横に配列された複数の小突起を有する。
【００２３】
天井側接続部５６は、天井側端緩衝部５２の天井側基体６０と天井側中間緩衝部５４の天井側基体６０とを接続する、その長さが一定の部位である。天井側接続部５６の厚さは、天井側基体６０と天井側躯体当接部６２とを合わせた厚さよりも薄い。天井側粘着部５８は、不織布基材又はプラスチックフィルム基材の両面に塗布してなる両面粘着テープであり、一面が、天井側基体６０及び天井側接続部５６の一方の面（天井側躯体当接部６２が配置される面の裏側の面）に取り付けられており、他面が、保護テープで覆われている。天井側粘着部５８によって、天井側緩衝材３４は、天井側レール１８の第１底部２２の外側面に固着される。なお、天井側中間緩衝部は、複数設けられてもよいが、この場合も一定間隔であることが好ましい。
【００２４】
床側緩衝材３６も天井側緩衝材３４と同様の構成である。すなわち、床側緩衝材３６は、天井側端緩衝部５２と同様の床側端緩衝部と、天井側中間緩衝部５４と同様の床側中間緩衝部と、天井側接続部５６と同様の床側接続部と、天井側粘着部５８と同様の床側粘着部とを有する。床側緩衝材３６の各部の構成は、上述の天井側緩衝材３４の対応部位と同様であるため、詳細な説明は省略する。
【００２５】
スタッド３８は、中空の四角柱であり、例えばスチール等の金属を用いて形成される。スタッド３８は、その上端部が天井側レール１８の第１溝部２３に嵌って挟持され、また、その下端部が床側レール２６の第２溝部３１に嵌まって挟持される。スタッド３８は、このように天井側レール１８及び床側レール２６に支持されて、立設する。スタッド３８は、複数のものが一定間隔で配置される。スタッド３８の間隔は、通常、３０３ｍｍ又は４５５ｍｍである。
【００２６】
側壁スタッド４０は、上記のスタッド３８のうち、特に、側壁躯体１４の近傍に位置し、一面が側壁躯体１４の表面と向かい合うスタッドである。側壁スタッド４０は、側壁躯体１４にネジ４２を用いて固定される。そのため、側壁スタッド４０の側壁躯体１４と向かい合う面とそれに対向する面には、それぞれネジ４２及びネジ止めをするための工具が利用する穴又は細長いスリットが設けられている（図示せず）。なお、側壁スタッド４０は、側壁躯体１４に固定されていればよく、固定方法はネジ止めに限られない。
【００２７】
側壁緩衝材４４は、側壁スタッド４０の側壁躯体１４と向かい合う面に、側壁スタッド４０の長さ方向に並べて取り付けられる細長い柔軟性を有する部材である。側壁緩衝材４４の構成は、図４を参照して説明した天井側緩衝材３４と同様であるため、ここでの詳細な説明は省略する。
【００２８】
間仕切り壁４６は、幅方向の両端部がスタッド３８，４０にネジ止め等によって（図示せず）、固定される平板状の壁材であり、具体的には例えば石膏ボードである。この間仕切り壁によって住戸内の部屋等が仕切られる。間仕切り壁４６の寸法は、通常規格に合わせて作られている。そのため、スタッド３８，４０は、間仕切り壁４６の寸法に合わせた間隔で、配置される。これによって、間仕切り壁４６の両端部をスタッド３８，４０にネジ止め等によって固定することが可能になる。
【００２９】
以上、本発明の実施の形態１に係る間仕切り構造について説明した。緩衝材をレールと躯体との間に介在させることによって、衝撃及び音の伝搬が抑制される。特に、緩衝材は、粘着テープ等によってレールに取り付けるだけであり、その以外の間仕切り構造の組み立て方法は、通常の間仕切り構造の組み立て方法と同様である。従って、極めて容易に衝撃及び音の伝搬を抑制することが可能になる。
【００３０】
さらに、例えば、ある住戸で生じた衝撃が階下の住戸に伝播する場合、衝撃は、階上の床側躯体から階下の天井レール及ネジタッドに伝わる。又、衝撃は、階上のスタッド及び床側レールを介して床側躯体に伝わるものもある。音も、概ね同様に、階上の住戸から階下の住戸に伝播する。このように、衝撃等は、スタッドと躯体との間の伝播を介して伝わる。そのため、天井側及び床側緩衝材３４，３６の端緩衝部５２及び中間緩衝部５４といった各緩衝部は、スタッド３８，４０が配置される位置にあればよい。コンクリート等の躯体は必ずしも平坦ではないため、緩衝部のようにレールと躯体との両方に当接する部材は、間欠的にある方が隙間無く詰まっているよりも、レールを躯体に安定させることができる。上述のように、スタッド３８，４０は、取り付けられる間仕切り壁４６の幅に合わせて配置される。詳しくは、スタッド３８，４０は、間仕切り壁４６の幅の両端部に対応する位置と、その間に等間隔で１本から数本配置されるのが通常である。従って、そのようなスタッド３８，４０が配置される間隔は予め規格によって決まる。規格から考えられるスタッド３８，４０の配置間隔の最小値で緩衝部が位置するように、各緩衝部は接続されることが好ましい。これによって、施工者は、レールの端から、緩衝材を貼り付けるだけで、好適な位置に緩衝部が自動的に配置される。すなわち、好ましい位置に緩衝部を容易に配置することが可能になる。
【００３１】
また、緩衝部は、小突起を有する。このように小突起を設けることによって、コンクリート等の必ずしも平滑な表面ではなく細かな凹凸を有する面であっても、その形状に適応して取り付けることができる。それによって、緩衝部を躯体により密着させることができ、衝撃、音等の伝播を効果的に抑制することが可能になる。
【００３２】
次に、これまで説明した図１〜３に示す間仕切り構造の組み立て方法について、図５〜８を参照して説明する。
【００３３】
まず、図５に示すように、天井側緩衝材３４は、天井側レール１８の第１底部２２の外側に天井側粘着部（５８）によって固着される。この時、天井側緩衝材３４は、一方の端部から順に、隣接する天井側緩衝材３４同士が当接するか又は僅かな隙間を空けて、第１底部２２の長さ方向に並べて固着される。また、床側緩衝材３６が、床側レール２６の第２底部３０の外側に床側粘着部によって固着する。この時、床側緩衝材３６も、天井側緩衝材３４と同様に、第２底部３０の長さ方向に順に当接又は僅かな隙間を空けて並べて固着される。
【００３４】
次に、固着した天井側緩衝材３４とともに天井側レール１８の第１底部２２が、天井側躯体１２にネジ止めによって固定される。また、固着した床側緩衝材３６とともに床側レール２６の第２底部３０が、床側躯体１６にネジ止めによって固定される。この時、床側レール２６は、自身の第２溝部３１と先に固定された天井側レール１８の第１溝部２３とが上下方向に対向するように、位置付けて固定される。
【００３５】
ここで、図７は、天井側躯体（１２）に取り付けた天井側レール１８の想定される状態を示す斜視図である。床側躯体１６に取り付けた床側レール２６も、同様の構成であり、上下逆にしたものになる。図示するように、ネジは、各緩衝部５２，５４を貫通するように打たれている。本図は、ネジ止めの一例を示すものに過ぎない。例えば、天井側中間緩衝部５４のネジが省略されてもよい。
【００３６】
ここから、間仕切り構造の組み立て方法に戻る。続けて、側壁躯体１４の近傍に配置される側壁スタッド４０の側壁躯体１４に対向する面に側壁緩衝材４４を固着させる。この時、側壁緩衝材４４は、天井側緩衝材３４と同様に、一方の端部から順に、隣接する側壁緩衝材４４同士が当接するか又は僅かな隙間を空けて、側壁スタッド４０の長さ方向に並べられる。側壁緩衝材４４が側壁躯体１４に当接するように、固定した天井側レール１８の第１溝部２３及び固定した床側レール２６の第２溝部３１のそれぞれに側壁スタッド４０の両端部を挟持させる。固着した側壁緩衝材４４とともに側壁スタッド４０を側壁躯体１４に固定する。これにより、側壁スタッド４０は、天井側レール１８及び床側レール２６の長さ方向のそれぞれの位置において、天井側端緩衝部５２の一方及び床側端緩衝部の一方（側壁躯体１４に近い方）と一致する。
【００３７】
続けて、スタッド３８の両端部を、固定した天井側レール１８の第１溝部２３及び固定した床側レール２６の第２溝部３１のそれぞれに挟持させる。この時、スタッド３８は、次に取り付けられる間仕切り壁４６の規格サイズに合わせて決められた間隔で配置される。これにより、スタッド３８は、天井側レール１８及び床側レール２６の長さ方向のそれぞれの位置において、天井側端緩衝部５２、天井側中間緩衝部５４、床側端緩衝部及び床側中間緩衝部のいずれかと一致する。間仕切り壁４６を側壁スタット４０及び他のスタッド３８に固定する。これにより、図１に示す間仕切り構造が完成する。
【００３８】
これらの各工程は、間仕切り構造を組み立て可能な範囲で順序が適宜、入れ替えられてもよい。例えば、各レール１８，２６に各緩衝材３４，３６を取り付け、その後に、各レール１８，２６をそれぞれの躯体１２，１６に固定することとしたが、例えば、天井側レール１８に天井側緩衝材３４を取り付け、天井側緩衝材３４とともに天井側レール１８を天井側躯体１２に固定し、その後に、床側レール２６に床側緩衝材３６を取り付け、床側緩衝材３６とともに床側レール２６を床側躯体１６に固定してもよい。この場合も、床側レール２６を床側躯体１６に固定する際、天井側レール１８と上下方向に対向するように位置付けて固定されることは同じである。
【００３９】
このように、天井側レール１８、床側レール２６及び側壁スタッド４０のそれぞれの一方端部から天井側、床側及び側壁緩衝材３４，３６，４４に並べて固着するだけで、上述のように、スタッド３８，４０が配置される位置に緩衝部５２，５４が位置付けられる。このような極めて簡単な工法によって、異なるフロア間の衝撃及び音の伝播を抑制することが可能になる。
【００４０】
（実施の形態２）
本実施の形態の間仕切り構造の特徴的な部分を図９に示す。図９は、実施の形態２に係る間仕切り構造の床側の概要を示す側面図である。図示するように、本実施の形態では、実施の形態１の間仕切り構造に加えて、床構造７１を備える。床構造７１は、床を形成する床材７２と、床側躯体１６上に設置されて床材７２を支持する支持台７８と、床材７２と間仕切り壁４６との間に介在する床材緩衝材７４とを備える。
【００４１】
床材７２は、位置決め穴７６を有する。支持台７８は、床側躯体１６上に設置される平らな円盤状の土台部８０と、床材７２を支持する平らな円盤状の支持部８４と、土台部８０と支持部８４とを一定の間隔で固定する軸８２とを有する。軸８２の上端部は、支持部８４よりも突出しており、その突出した部分が床材７２の位置決め穴７６と嵌る。このような軸８２と位置決め穴７６との嵌合によって、床材７２は水平方向に固定される。
【００４２】
床緩衝材７４は、実施の形態１で図４を参照して説明した緩衝材３４（３６，４４）と同様の構成を備える。床緩衝材７４は、床材７２の四方の辺部分に固着される。これにより、床材７２に伝わった衝撃又は音が、辺部分を介して間仕切り構造１０に伝播することを低減することができる。また、床緩衝材７４の取付方法は、実施の形態１と同様に、極めて簡単なものである。従って、簡単な工程を追加して床緩衝材を設けることによって、異なるフロアに伝播する衝撃及び音を実施の形態１よりもさらに抑制することが可能になる。
【００４３】
（実施の形態３）
図１０〜１３を参照して、実施の形態３に係る間仕切り構造について説明する。図１０は、本発明の実施の形態３に係る間仕切り構造の概要を示す斜視図である。また、図１１は、図１０のＺ面での正面断面図を示し、図１２は、図１０のＷ面での側方断面図を示す。
【００４４】
実施の形態３に係る間仕切り構造１１０は、実施の形態１と同様に、天井側木製基材１１８及び床側木製基材１２６と、それぞれに取り付けられる天井側緩衝材３４及び床側緩衝材３６と、天井側木製基材１１８及び床側木製基材２６によって支持される木製補助柱１３８と、木製補助柱１３８のうち側壁躯体１４の近傍に配置される側壁補助柱１４０に取り付けられる側壁緩衝材４４と、木製補助柱１３８，１４０に支持される間仕切り壁４６とを備える。各図において、実施の形態１と同じ部材には同一の参照符号を付している。これらの実施の形態１と同一の参照符号を付した部材に関するここでの説明は、省略する。また図１０では、木製補助柱１３８は間仕切り壁４６の影になっており、また木製補助柱１４０は側壁緩衝材４４の影になっているため、これらは同図に示されていない。
【００４５】
天井側木製基材１１８及び床側木製基材１２６はともに、木製の四角柱であり、長手方向がそれぞれ天井側躯体１２及び床側躯体１６に固定される。各木製基材１１８，１２６の躯体１２，１６への固定には、通常、釘が用いられるが、この固定方法はこれに限定されず、ネジ等が用いられてもよい。ネジが使用される場合には、好ましくは、ネジ止め用の孔又は細長いスリットが、各木製基材１１８，１２６に設けられる。
【００４６】
図１３は、実施の形態３に係る躯体に取り付けた木製基材の想定される状態を示す斜視図である。同図は、天井側躯体（１２）に取り付けた天井側木製基材１１８の想定される状態を示す。また、床側躯体（１６）に取り付けた床側木製基材（１２６）も、同様の構成であり、上下逆にしたものになる。図示するように、釘１２４（１３２）は、各緩衝部５２，５４を貫通するように打たれている。本図は、木製基材の固定方法の一例を示すものに過ぎない。例えば、天井側中間緩衝部５４の釘１２４（１３２）が省略されてもよく、又、釘に代えてネジが使用されてもよい。
【００４７】
木製補助柱１３８は、木製の四角柱であり、天井側木製基材１１８及び床側木製基材１２６の間に上下方向に平行に複数、設けられる。木製補助柱１３８の上端面は、天井側基材１１８の下面に密着するように、また木製補助柱１３８の下端面は、床側基材１２６の上面に密着するように配置される。天井側基材１１８の下面は、天井側基材１１８の天井側緩衝材３４が取り付けられる底面に対向する面である。床側基材１２６の上面は、床側基材１２６の床側緩衝材３６が取り付けられる底面に対向する面である。
【００４８】
木製補助柱１３８は、ネジが通る穴が開いたＬ字状に屈曲した平らな金属板であるＬ字金具１６８と、ネジ１７０，１７２等とを用いて、木製基材１１８，１２６に固定される。なお、木製補助柱１３８を木製基材１１８，１２６に固定する方法は、Ｌ字金具１６８を用いる方法に限られない。例えば、木製補助柱１３８から斜めに長い釘を打ち付けて、木製基材１１８（１２６）にまで貫通させることによって、木製補助柱１３８と木製基材１１８（１２６）とを固定してもよい。
【００４９】
側壁補助柱１４０は、上記の木製補助柱１３８のうち、特に、側壁躯体１４の近傍に位置し、一面が側壁躯体１４の表面と向かい合う補助柱である。側壁補助柱１４０は、側壁躯体１４にネジ４２等を用いて固定される。なお、更に、Ｌ字状の留め具と、ネジ、釘等とを用いて、木製基材１１８，１２６に固定されてもよい。
【００５０】
間仕切り壁４６は、実施の形態１と同様に、規格に適合する寸法を有し、側壁補助柱１４０を含む木製補助柱１３８にネジ止め等によって（図示せず）固定される。
【００５１】
以上、本発明の実施の形態３に係る間仕切り構造について説明した。実施の形態３に係る間仕切り構造の施工方法は、実施の形態１の施工方法について、天井側レール１８を天井側木製基材１１８に、床側レール２６を床側木製基材１２６に、木製補助柱１３８及び側壁補助柱１４０をそれぞれスタッド３８及び側壁スタッド４０に代えたものとほぼ同様である。そのため、本実施の形態に係る間仕切り構造の施工方法に関する詳細な説明は、省略する。
【００５２】
木製基材と躯体との間に緩衝材を介在させるため、本実施の形態においても、実施の形態１と同様に、衝撃及び音の伝搬が抑制される。また、緩衝材は、粘着テープ等によって木製基材に取り付けるだけであり、その以外の間仕切り構造の組み立て方法は、通常の間仕切り構造の組み立て方法と同様である。従って、極めて容易に衝撃及び音の伝搬を抑制することが可能になる。
【００５３】
また、規格等によって決定される補助柱１３８，１４０の配置間隔の最小値で緩衝部が位置するように、各緩衝部は接続されることが好ましい。これによって、実施の形態１と同様に、施工者は、レールの端から、緩衝材を貼り付けるだけで、好適な位置に緩衝部が自動的に配置される。すなわち、好ましい位置に緩衝部を容易に配置することが可能になる。
【００５４】
また、緩衝部は、実施の形態１と同様に、小突起を有する。このように小突起を設けることによって、コンクリート等の必ずしも平滑な表面ではなく細かな凹凸を有する面であっても、その形状に適応して取り付けることができる。それによって、緩衝部を躯体により密着させることができ、衝撃、音等の伝播を効果的に抑制することが可能になる。
【実施例】
【００５５】
鉄筋コンクリート造りの１０階建ての新築マンションに、実施の形態１で説明した間仕切り構造を適用して、本発明の検証をした。
【００５６】
実施例では、互いに直上直下の関係にある９階及び８階の同じ間取りの住戸（図１４参照）において、９階のリビングダイニング９８、第１洋室９４及び第２洋室９６に音源を設置し、また、８階のリビングダイニング、第１洋室及び第２洋室に受音機を設置した。９階及び８階のリビングダイニング９８での音源及び受音機設置箇所１０４と、９階及び８階の第１洋室９４での音源及び受音機設置箇所１００と、９階及び８階の第２洋室９６での音源及び受音機設置箇所１０２とは、いずれも、図示するように、各部屋の中央と対角線上にある部屋の隅近傍４箇所とに設置した。
【００５７】
実施例では、躯体のみの場合と、実施の形態１で示す間仕切り構造を設置した場合とで、重量床衝撃音レベル測定を実施した。躯体は、図１４に示す住戸の周囲にある。間仕切り構造は、図１４に示す住戸の中の仕切りの全てに設置した。また、間仕切り壁には、石膏ボード壁材を利用した。検証方法は、ＪＩＳ−Ａ−１４１８「建築物の現場における床衝撃音レベルの測定方法」に準拠し重量床衝撃源にバングマシンを使用した。
【００５８】
比較例では、互いに直上直下の関係にある７階及び６階の実施例と同じ間取りの住戸において、７階のリビングダイニング、第１洋室及び第２洋室に音源を設置し、また、６階のリビングダイニング、第１洋室及び第２洋室に受音機を設置した。７階及び６階のリビングダイニングでの音源及び受音機設置箇所と、７階及び６階の第１洋室での音源及び受音機設置箇所と、７階及び６階の第２洋室での音源及び受音機設置箇所とは、いずれも、図示するように、各部屋の中央と対角線上にある部屋の隅近傍４箇所とに設置した。すなわち、比較例と実施例とでは、検証を実施したフロアが異なるだけで、間取り及びその他の位置関係は同じである。
【００５９】
比較例では、躯体のみの場合と、緩衝材を含まない間仕切り構造（緩衝材を含まないことを除いて、図１に示す間仕切り構造と同じ。）を設置した場合とで、重量床衝撃音レベル測定を実施した。緩衝材を含まない間仕切り構造は、図１４に示す各部屋の仕切りの全てに設置した。また、間仕切り壁には、石膏ボード壁材を利用した。検証方法は、ＪＩＳ−Ａ−１４１８「建築物の現場における床衝撃音レベルの測定方法」に準拠し重量床衝撃源にバングマシンを使用した。
【００６０】
実施例での測定結果を図１５に示し、Ｌ値にまとめたものを表１に示す。図１５において、「Ｌ壁あり」１２８は、音源室及び受音室がリビングダイニングで間仕切り構造を設置した場合を、「Ｒ１壁あり」１３０は音源室及び受音室が第１洋室で間仕切り構造を設置した場合を、「Ｒ２壁あり」１３２は音源室及び受音室が第２洋室で間仕切り構造を設置した場合を、「Ｌ壁なし」１２２は音源室及び受音室がリビングダイニングで躯体のみの場合を、「Ｒ１壁なし」１２４は音源室及び受音室が第１洋室で躯体のみの場合を、「Ｒ２壁なし」１２６は音源室及び受音室が第２洋室で躯体のみの場合をそれぞれ意味する。また、図１５は、Ｌ６５に対応する線１１２、Ｌ６０に対応する線１１４、Ｌ５５に対応する線１１６、Ｌ５０に対応する線１１８、及びＬ４５に対応する線１２０をそれぞれ点線で示す。実施例での測定結果では、リビング、洋室１及び洋室２の全てで、躯体のみの場合よりも間仕切り構造を設置した場合の方が、音圧レベル及びＬ値が低い。すなわち、本発明に係る間仕切り構造により、音の伝播が低減している。
【表１】
0005225757.tif 000002
【００６１】
また、比較例での測定結果を図１６に示し、Ｌ値にまとめたものを表２に示す。図１６において、「Ｌ壁あり」１２８、「Ｒ１壁あり」１３０、「Ｒ２壁あり」１３２、「Ｌ壁なし」１２２、「Ｒ１壁なし」１２４、及び「Ｒ２壁なし」１２６は、上述の図１５と同じ場合をそれぞれ意味する。比較例での測定結果では、躯体のみの場合よりも間仕切り構造を設置した場合の方が音圧レベル及びＬ値が高いか、躯体のみの場合と間仕切り構造を設置した場合とで音圧レベル及びＬ値が同じ程度である。すなわち、従来の間仕切り構造では、音の伝播が増加している。
【表２】
0005225757.tif 000003
【００６２】
このように、本発明に係る間仕切り構造では、緩衝材を設けたことによって、音の伝播が従来よりも著しく低減するといえる。上述のように緩衝材は、極めて容易に基材に取り付けられる。本実施例の結果は、衝撃の伝播にもあてはまると考えられる。従って、僅かな手間で著しく音及び衝撃の伝播を低減させることが可能な本発明は、従来の間仕切り構造に比べて、顕著な効果を奏するものである。
【産業上の利用可能性】
【００６３】
本発明は、間仕切り壁躯体に設けるための間仕切り構造、その組立方法等に利用できる。
【図面の簡単な説明】
【００６４】
【図１】本発明の実施の形態１に係る間仕切り構造の概要を示す斜視図である。
【図２】実施の形態１に係る間仕切り構造の図１に示すＸ面での正面断面図である。
【図３】実施の形態１に係る間仕切り構造の図１に示すＹ面での側方断面図である。
【図４】実施の形態１に係る緩衝材の例を示す斜視図である。
【図５】緩衝材をレールに取り付けた状態の概要を示す斜視図である。
【図６】緩衝材を取り付けた天井側及び床側レールを躯体に取り付けた状態の概要を示す斜視図である。
【図７】実施の形態１に係る躯体に取り付けたレールの想定される状態を示す斜視図である。
【図８】スタッドを取り付けた状態を示す斜視図である。
【図９】本発明の実施の形態２に係る間仕切り構造の床側の概要を示す側面図である。
【図１０】実施の形態３に係る間仕切り構造の概要を示す斜視図である。
【図１１】実施の形態３に係る間仕切り構造の図１０に示すＺ面での正面断面図である。
【図１２】実施の形態３に係る間仕切り構造の図１０に示すＷ面での側方断面図である。
【図１３】実施の形態３に係る躯体に取り付けた木製基材の想定される状態を示す斜視図である。
【図１４】実施例及び比較例において利用した住戸の間取りを示す平面図である。
【図１５】実施例での測定結果を示す図である。
【図１６】比較例での測定結果を示す図である。
【符号の説明】
【００６５】
１０  間仕切り構造、１２  天井側躯体、１４  側壁躯体、１６  床側躯体、１８  天井側レール、２０  第１側部、２２  第１底部、２３  第１溝部、２４  ネジ、２６  床側レール、２８  第２側部、３０  第２底部、３１  第２溝部、３２  ネジ、３４  天井側緩衝材、３６  床側緩衝材、３８  スタッド、４０  側壁スタッド、４２  ネジ、４４  側壁緩衝材、４６  間仕切り壁、５２  天井側端緩衝部、５４  天井側中間緩衝部、５６  天井側接続部、５８  天井側粘着部、６０  天井側基体、６２  天井側躯体当接部
【図１】
0005225757.tif 000004
【図２】
0005225757.tif 000005
【図３】
0005225757.tif 000006
【図４】
0005225757.tif 000007
【図５】
0005225757.tif 000008
【図６】
0005225757.tif 000009
【図７】
0005225757.tif 000010
【図８】
0005225757.tif 000011
【図９】
0005225757.tif 000012
【図１０】
0005225757.tif 000013
【図１１】
0005225757.tif 000014
【図１２】
0005225757.tif 000015
【図１３】
0005225757.tif 000016
【図１４】
0005225757.tif 000017
【図１５】
0005225757.tif 000018
【図１６】
0005225757.tif 000019